(57)【要約】【課題】防水及び防塵効果を有する携帯用ストレージメディアを提供する。【解決手段】上カバー（１１）及び下カバー（１２）から成る本体（１０）と、該本体（１０）の内部に設置される回路板（２０）と、キャップ（４０）とを備える携帯用ストレージメディアであって、回路板（２０）はメモリーとＵＳＢコネクタ（２１）が設けられると共に、外側に防水素材からなる保護フィルム（３０）が設けられ、ＵＳＢコネクタ（２１）の一端は本体（１０）から突出し、キャップ（４０）の内部に本体（１０）から突出するＵＳＢコネクタ（２１）を収容するための収納空間が形成されることを特徴とする。【選択図】　　図２
0003098696.tif 000002
【実用新案登録請求の範囲】
【請求項１】
上カバー（１１）及び下カバー（１２）から成る本体（１０）と、該本体（１０）の内部に設置される回路板（２０）と、キャップ（４０）とを備える携帯用ストレージメディアであって、
回路板（２０）はメモリーとＵＳＢコネクタ（２１）が設けられると共に、外側に防水素材からなる保護フィルム（３０）が設けられ、ＵＳＢコネクタ（２１）の一端は本体（１０）から突出し、キャップ（４０）の内部に本体（１０）から突出するＵＳＢコネクタ（２１）を収容するための収納空間が形成されることを特徴とする、携帯用ストレージメディア。
【請求項２】
本体（１０）の上カバー（１１）に標示孔（１３）が形成されると共に、回路板（２０）における標示孔（１３）と対応する位置に発光ダイオード（２２）が設けられることを特徴とする、請求項１に記載の携帯用ストレージメディア。
【請求項３】
本体（１０ａ）と、該本体（１０ａ）の内部に設置される回路板（２０）と、キャップ（４０）とを備える携帯用ストレージメディアであって、
本体（１０ａ）はゴムにより一体に形成される構造であり、
回路板（２０）にはメモリーとＵＳＢコネクタ（２１）が設けられると共に、外側に防水素材である本体（１０ａ）が設けられ、そのＵＳＢコネクタ（２１）の一端は本体（１０ａ）から突出し、キャップ（４０）の内部に本体（１０ａ）から突出するＵＳＢコネクタ（２１）を収容するための収納空間が形成されることを特徴とする、携帯用ストレージメディア。
【考案の詳細な説明】
【０００１】
【考案の属する技術分野】
本考案は、特に防水及び防塵効果を有する携帯用ストレージメディアに関するものである。
【０００２】
【従来の技術】
図５に示すように、従来の携帯用ストレージメディアはＵＳＢコネクタのコネクタを有することから、パソコンにおけるＵＳＢソケットに直接挿することにより、データの記録や読み取りを行うことができる。又、その構造は、上カバー（５１）及び下カバー（５２）から成る本体（５０）の内部にメモリーを有する回路板（符号なし）が設けられ、上カバー（５１）の表面に電源ランプの標示孔（５３）が形成され、更に、ＵＳＢコネクタ（６０）の一端は回路板と接続されると共に、他端は本体（５０）の一端から突出し、ＵＳＢコネクタ（６０）を保護するためのキャップ（６１）がその他端の外側に設けられる。
【０００３】
【考案が解決しようとする課題】
しかしながら、前記従来の携帯用ストレージメディアは上カバー（５１）と下カバー（５２）との間に隙間（５４）が形成されると共に、上カバー（５１）に電源ランプである発光ダイオードを設置するための標示孔（５３）が形成されるので、塵埃や液体などが本体（５０）の内部に進入して、回路板を破壊してしまうという問題を有する。
【０００４】
そこで、案出されたのが本考案であって、防水及び防塵効果を有する携帯用ストレージメディアを提供することを目的としている。
【０００５】
【課題を解決するための手段】
本願の請求項１の考案は、上カバー（１１）及び下カバー（１２）から成る本体（１０）と、該本体（１０）の内部に設置される回路板（２０）と、キャップ（４０）とを備える携帯用ストレージメディアであって、
回路板（２０）は、メモリーとＵＳＢコネクタ（２１）が設けられると共に、外側に防水素材からなる保護フィルム（３０）が設けられ、ＵＳＢコネクタ（２１）の一端は本体（１０）から突出し、キャップ（４０）の内部に本体（１０）から突出するＵＳＢコネクタ（２１）を収容するための収納空間が形成されることを特徴とする携帯用ストレージメディア及び、
本願の請求項２の考案は、本体（１０）の上カバー（１１）に標示孔（１３）が形成されると共に、回路板（２０）における標示孔（１３）と対応する位置に発光ダイオード（２２）が設けられることを特徴とする請求項１に記載の携帯用ストレージメディア及び、
本願の請求項３の考案は、本体（１０ａ）と、該本体（１０ａ）の内部に設置される回路板（２０）と、キャップ（４０）とを備える携帯用ストレージメディアであって、
本体（１０ａ）はゴムにより一体に形成される構造であり、
回路板（２０）にはメモリーとＵＳＢコネクタ（２１）が設けられると共に、外側に防水素材である本体（１０ａ）が設けられ、そのＵＳＢコネクタ（２１）の一端は本体（１０ａ）から突出し、キャップ（４０）の内部に本体（１０ａ）から突出するＵＳＢコネクタ（２１）を収容するための収納空間が形成されることを特徴とする携帯用ストレージメディア、
を提供する。
【０００６】
【作用】
本考案は上記の課題を解決するものであり、回路板の外側に保護フィルムを設けることにより、本体の内部における回路板と外部とを完全に隔絶することができる
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係わる携帯用ストレージメディアの一部分解斜視図であり、図２は本考案に係わる携帯用ストレージメディアの長手方向の断面図であり、図３は本考案に係わる携帯用ストレージメディアのキャップを示す一部断面図であり、図４は本考案に係わる携帯用ストレージメディアの他の実施例を示す長手方向の断面図である。
【０００９】
【考案の実施の形態】
図１及び図２に示すように、本考案に係わる携帯用ストレージメディアは、上カバー（１１）及び下カバー（１２）から成る本体（１０）と、該本体（１０）の内部に設置される回路板（２０）と、本体（１０）をカバーする保護フィルム（３０）と、キャップ（４０）とを備える。
【００１０】
本体（１０）の上カバー（１１）に標示孔（１３）が形成され、回路板（２０）にはメモリー（符号なし）とＵＳＢコネクタ（２１）が設けられると共に、外側に防水素材からなる保護フィルム（３０）が設けられ、標示孔（１３）に対応する位置に発光ダイオード（２２）が設けられ、該ＵＳＢコネクタ（２１）の一端が本体（１０）から突出され、図３に示すように、キャップ（４０）の内部に本体（１０）から突出するＵＳＢコネクタ（２１）を収容するための収納空間が形成される。
【００１１】
又、図２に示すように、保護フィルム（３０）は回路板（２０）の外側に設けることにより、本体（１０）の内部における回路板（２０）と外部とを隔絶させると共に、キャップ（４０）がＵＳＢコネクタ（２１）を完全にカバーするので、塵埃や水を本体（１０）の内部に進入して回路板（２０）を破壊することを防止できる。
【００１２】
更に、図４に示すように、本考案に係わる携帯用ストレージメディアの他の実施例は、本体（１０ａ）がゴムにより一体に形成される構造であると共に、内部に回路板（２０）が設けられ、回路板（２０）にはメモリー（符号なし）とＵＳＢコネクタ（２１）が設けられると共に、外側に防水素材である本体（１０ａ）が設けられ、該ＵＳＢコネクタ（２１）の一端は本体（１０）から突出することにより、本体（１０ａ）の内部における回路板（２０）と外部とを隔絶させるので、塵埃や水を本体（１０ａ）の内部に進入して回路板（２０）を破壊することを防止できる。
【００１３】
【考案の効果】
本考案は上記の構成を有するので、回路板の外側に保護フィルムを設けることにより、本体の内部における回路板と外部とを完全に隔絶するので、塵埃や液体を本体の内部に進入して回路板を損壊することを防止できる。
【図面の簡単な説明】
【図１】本考案に係わる携帯用ストレージメディアの一部分解斜視図である。
【図２】本考案に係わる携帯用ストレージメディアの長手方向の断面図である。
【図３】本考案に係わる携帯用ストレージメディアのキャップを示す一部断面図である。
【図４】本考案に係わる携帯用ストレージメディアの他の実施例を示す長手方向の断面図である。
【図５】従来の携帯用ストレージメディアの一部分解斜視図である。
【符号の説明】
１０、１０ａ　　　　本体
１１　　　　上カバー
１２　　　　下カバー
１３　　　　標示孔
２０　　　　回路板
２１　　　　ＵＳＢコネクタ
２２　　　　発光ダイオード
３０　　　　保護フィルム
４０　　　　キャップ
５０　　　　本体
５１　　　　上カバー
５２　　　　下カバー
５３　　　　標示孔
５４　　　　隙間
６０　　　　ＵＳＢコネクタ
６１　　　　キャップ
【図１】
0003098696.tif 000003
【図２】
0003098696.tif 000004
【図３】
0003098696.tif 000005
【図４】
0003098696.tif 000006
【図５】
0003098696.tif 000007